(57)【特許請求の範囲】
【請求項１】
撮像装置を制御する撮像制御装置であって、
前記撮像装置より得られる画像と、命令実行シンボルとを表示する表示手段と、
前記撮像装置に指示操作を行う操作手段と、
前記操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させることを特徴とする撮像制御装置。
【請求項２】
撮像装置を制御する撮像制御装置であって、
前記撮像装置より得られる画像と、命令実行シンボルとを表示する表示手段と、
前記撮像装置に指示操作を行う操作手段と、
前記操作手段による第１の指示操作によって前記撮像装置に撮影準備を実行させ、前記第１の指示操作が行なわれた後、予め決められた時間内に前記操作手段による前記命令実行シンボルを選択する第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させることを特徴とする撮像制御装置。
【請求項３】
撮像装置を制御する撮像制御装置であって、
前記撮像装置より得られる画像と、命令実行シンボルとを表示する表示手段と、
前記撮像装置に指示操作を行う操作手段と、
前記操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を、前記撮像装置に撮影準備を実行させずに撮影を実行させる撮影実行命令とし、前記予め決められた時間経過後に前記第２の指示操作が行なわれた場合には当該第２の指示操作を受けて前記撮像装置に撮影準備を実行させることを特徴とする撮像制御装置。
【請求項４】
撮像装置を制御する撮像制御装置であって、
前記撮像装置より得られる画像と、命令実行シンボルとを表示する表示手段と、
前記撮像装置に指示操作を行う操作手段と、
前記操作手段による第１の指示操作によって前記撮像装置に撮影準備を実行させ、前記第１の指示操作が行なわれた後、予め決められた時間内に前記操作手段による前記命令実行シンボルを選択する第２の指示操作が行なわれた場合には当該第２の指示操作を、前記撮像装置に撮影準備を実行させずに撮影を実行させる撮影実行命令とし、前記予め決められた時間経過後に前記第２の指示操作が行なわれた場合には当該第２の指示操作を受けて前記撮像装置に撮影準備を実行させることを特徴とする撮像制御装置。
【請求項５】
前記撮影準備とは、少なくとも自動フォーカス制御、自動露出制御のいずれか一方であることを特徴とする請求項１乃至４のいずれか１項に記載の撮像制御装置。
【請求項６】
撮像装置を制御する撮像制御方法であって、
前記撮像装置より得られる画像と、命令実行シンボルとを表示する表示工程と、
操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させることを特徴とする撮像制御方法。
【請求項７】
撮像装置を制御する撮像制御方法であって、
前記撮像装置より得られる画像と、命令実行シンボルとを表示する表示工程と、
操作手段による第１の指示操作によって前記撮像装置に撮影準備を実行させ、前記第１の指示操作が行なわれた後、予め決められた時間内に前記操作手段による前記命令実行シンボルを選択する第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させることを特徴とする撮像制御方法。
【請求項８】
撮像装置を制御する撮像制御方法であって、
前記撮像装置より得られる画像と、命令実行シンボルとを表示する表示工程と、
操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を、前記撮像装置に撮影準備を実行させずに撮影を実行させる撮影実行命令とし、前記予め決められた時間経過後に前記第２の指示操作が行なわれた場合には当該第２の指示操作を受けて前記撮像装置に撮影準備を実行させることを特徴とする撮像制御方法。
【請求項９】
撮像装置を制御する撮像制御方法であって、
前記撮像装置より得られる画像と、命令実行シンボルとを表示する表示工程と、
操作手段による第１の指示操作によって前記撮像装置に撮影準備を実行させ、前記第１の指示操作が行なわれた後、予め決められた時間内に前記操作手段による前記命令実行シンボルを選択する第２の指示操作が行なわれた場合には当該第２の指示操作を、前記撮像装置に撮影準備を実行させずに撮影を実行させる撮影実行命令とし、前記予め決められた時間経過後に前記第２の指示操作が行なわれた場合には当該第２の指示操作を受けて前記撮像装置に撮影準備を実行させることを特徴とする撮像制御方法。
【請求項１０】
撮像装置を制御する撮像制御方法をコンピュータに実行させるプログラムであって、
前記撮像装置より得られる画像と、命令実行シンボルとを表示する表示工程と、
操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させる遠隔制御方法の各処理をコンピュータに実行させることを特徴とするプログラム。
【請求項１１】
撮像装置を制御する撮像制御方法をコンピュータに実行させるプログラムであって、
前記撮像装置より得られる画像と、命令実行シンボルとを表示する表示工程と、
操作手段による第１の指示操作によって前記撮像装置に撮影準備を実行させ、前記第１の指示操作が行なわれた後、予め決められた時間内に前記操作手段による前記命令実行シンボルを選択する第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させる遠隔制御方法の各処理をコンピュータに実行させることを特徴とするプログラム。
【請求項１２】
撮像装置を制御する撮像制御方法をコンピュータに実行させるプログラムであって、
前記撮像装置より得られる画像と、命令実行シンボルとを表示する表示工程と、
操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を、前記撮像装置に撮影準備を実行させずに撮影を実行させる撮影実行命令とし、前記予め決められた時間経過後に前記第２の指示操作が行なわれた場合には当該第２の指示操作を受けて前記撮像装置に撮影準備を実行させる遠隔制御方法の各処理をコンピュータに実行させることを特徴とするプログラム。
【請求項１３】
撮像装置を制御する撮像制御方法をコンピュータに実行させるプログラムであって、
前記撮像装置より得られる画像と、命令実行シンボルとを表示する表示工程と、
操作手段による第１の指示操作によって前記撮像装置に撮影準備を実行させ、前記第１の指示操作が行なわれた後、予め決められた時間内に前記操作手段による前記命令実行シンボルを選択する第２の指示操作が行なわれた場合には当該第２の指示操作を、前記撮像装置に撮影準備を実行させずに撮影を実行させる撮影実行命令とし、前記予め決められた時間経過後に前記第２の指示操作が行なわれた場合には当該第２の指示操作を受けて前記撮像装置に撮影準備を実行させる遠隔制御方法の各処理をコンピュータに実行させることを特徴とするプログラム。
【請求項１４】
請求項１０乃至１３のいずれか１項に記載のプログラムを記録したことを特徴とするコンピュータ読み取り可能な記録媒体。
【発明の詳細な説明】
【技術分野】
【０００１】
本発明は撮像制御装置及び撮像制御方法に関し、特に、撮像装置を遠隔制御して撮影するために用いて好適な技術に関するものである。
【背景技術】
【０００２】
最近は、デジタルカメラなどの撮像装置とパーソナルコンピュータ（カメラとパーソナルコンピュータ）などを接続して、リモート撮影を行うということが広く行われている。このように、リモート撮影を行うことによって、メモリーカードの容量などを気にせずに、パーソナルコンピュータのディスク容量に従った大量の写真を撮影することが可能となる。
【０００３】
また、リモート撮影を行う場合に、専用の制御装置、所謂リモコンを用いることにより、リモート撮影でありながらカメラ自身を操作する以上の操作性を可能としているものも開示されている（例えば、特許文献１参照）。
【先行技術文献】
【特許文献】
【０００４】
【特許文献１】特開平１１−１７６２８６号公報
【発明の概要】
【発明が解決しようとする課題】
【０００５】
ところで、一般的にデジタルカメラや銀塩カメラを用いて撮影をする場合、レリーズボタンの半押しを行って測距、ＡＦ制御、ＡＥ制御等のトリガーとして使用するようにしている。
【０００６】
しかしながら、カメラとパーソナルコンピュータとを接続して、パーソナルコンピュータ側でリモート撮影を行う場合には、レリーズの半押しを行うことができないために、ＡＦ制御、ＡＥ制御を行った場合にはその後は撮影まで行ってしまうことになる。
【０００７】
本発明は前述の問題点にかんがみ、撮像装置と撮像制御装置とを接続したリモート撮影時において、撮像装置と撮像制御装置側の一つの操作手段で全押しも半押しも行うことができるようにすることを目的とする。
【課題を解決するための手段】
【０００８】
本発明の撮像制御装置は、撮像装置を制御する撮像制御装置であって、前記撮像装置より得られる画像と、命令実行シンボルとを表示する表示手段と、前記撮像装置に指示操作を行う操作手段と、前記操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させることを特徴とする。
【０００９】
本発明の撮像制御方法は、撮像装置を制御する撮像制御方法であって、前記撮像装置より得られる画像と、命令実行シンボルとを表示する表示工程と、操作手段による前記命令実行シンボルを選択する第１の指示操作によって前記撮像装置に撮影準備を実行させ、前記第１の指示操作が行なわれた後、予め決められた時間内に前記操作手段による第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させることを特徴とする。
【００１０】
本発明のプログラムは、撮像装置を制御する撮像制御方法をコンピュータに実行させるプログラムであって、前記撮像装置を操作する操作手段を示す操作シンボルと、命令実行シンボルと、前記撮像装置より得られる画像とを表示する表示工程と、操作手段による第１の指示操作によって前記撮像装置に撮影準備を実行させ、前記第１の指示操作が行なわれた後、予め決められた時間内に前記操作手段による第２の指示操作が行なわれた場合には当該第２の指示操作を撮影実行命令とし、前記予め決められた時間経過後に前記第２の指示操作が行なわれた場合には当該第２の指示操作を受けて前記撮像装置に撮影準備を実行させる遠隔制御方法の各処理をコンピュータに実行させることを特徴とする。
【発明の効果】
【００１１】
本発明によれば、一つのボタンで有りながら、半押しも全押しも行うことが可能になり、ＡＦ制御・ＡＥ制御を行った後で、フォーカス・露出等の状態を確認してから撮影を実行することが可能となる。
【図面の簡単な説明】
【００１２】
【図１】第１の実施形態を示し、撮像制御装置の構成例を示すブロック図である。
【図２】第１の実施形態を示し、半押し制御を実行する手順の一例を示すフローチャートである。
【図３】第２の実施形態を示し、半押し制御を実行する手順の一例を示すフローチャートである。
【図４】第１の実施形態を示し、半押し制御方法を示す模式図である。
【発明を実施するための最良の形態】
【００１３】
（第１の実施形態）
以下、図面を参照して、本発明の好適な実施形態を説明する。
図１は本発明の第１の実施形態を示し、撮像制御装置の構成例を示すブロック図である。図１において、読込部１００は公知のCCD素子などで構成されている撮像装置であり、
画像を読み込む機能を有している。入力部１０１は、キーボードやポインティング装置で構成されており、この入力部１０１を操作してユーザはデータの入力や操作の指示を行う。
【００１４】
蓄積部１０２はバイナリデータやメタデータを蓄積するものであり、例えばハードディスクで構成されている。表示部１０３は蓄積部１０２に蓄積されたバイナリデータを表示したり、読込部１００で読み込まれた画像データを表示したりするものであり、例えばCRTや液晶パネルで構成されている。
【００１５】
画像入力部１０７は、デジタルカメラなどの画像入力機器で構成されており、撮影された画像及び撮影時の情報などが入力される。ＣＰＵ１０４は本実施形態で行なう全ての処理に関わり、ＲＯＭ１０５とＲＡＭ１０６はその処理に必要なメモリや作業領域を提供する。また、図２あるいは図３のフローチャートを参照して後述する本実施形態の処理手順を実現するための制御プログラムがＲＯＭ１０５に格納されている。
【００１６】
次に、本実施形態で示す撮像制御装置でレリーズを２段階で行う方法を図２のフローチャートを用いて説明する。
ステップＳ２０１において、レリーズボタンが押されているかを判定する。この判別の結果、押されている場合にはステップＳ２０２に進み、押されていない場合にはステップＳ２０１に戻る。すなわち、レリーズボタンが押されるまで待機する。
【００１７】
ステップＳ２０２においては、半押し制御を開始する。ここで半押し制御とは、接続された撮像装置で測距及び測光を行い、ＡＦ（自動フォーカス制御）制御、ＡＥ（自動露出）制御を行うことである。
次に、ステップＳ２０３において、ボタンが離されたかどうか判定する。この判定の結果、ボタンが離されていない場合にはステップＳ２０２に戻り、半押し制御を行い続ける。また、ボタンが離された場合にはステップＳ２０４に進む。
【００１８】
ステップＳ２０４においては、一定時間以内にもう一度押されたかどうかを判定する。この判定の結果、一定時間より長い時間がたってからもう一度押された場合には、ステップＳ２０１に戻り、もう一度レリーズボタンが押されているかを判定し、押されている場合にはステップＳ２０２に進み半押し制御を行う。また、一定時間以内にもう一度押された場合にはステップＳ２０５に進む。ステップＳ２０５においては、レリーズを行い、撮影を完了する。
【００１９】
以上の処理を実行することにより、一つのボタンを押しっぱなしにした後に、一定時間以内にもう一度押すことで、半押しをしてレリーズする動作を一つのボタンで行うことができる。
【００２０】
以上を模式的に表したものが、図４である。図４（Ａ）は、半押し後、一定時間（Ｔ）以内にもう一度押すことで、半押しをしてレリーズする動作が実現されている。
また、図４（Ｂ）では、半押し後、一定時間（Ｔ）以上経過後にもう一度押すことで、半押しをして再度半押しする動作が実現されている。
【００２１】
ここで、半押し制御中に測距及びＡＦ制御、ＡＥ制御を行っているので、これらの情報を接続されている撮像制御装置に転送して、被写体距離や、被写界深度などを演算して表示してもよい。
【００２２】
以上説明したように、本発明の第１の実施形態によれば、一つのボタンで半押しを行うことが可能になり、ＡＦ制御・ＡＥ制御を行い、フォーカス・露出等を確認することができる。
【００２３】
（第２の実施形態）
前述した第１の実施形態においては、フォーカスや露出などをマニュアルで行う場合にも、ボタンを２回押す必要があった。
それに対して、第２の実施形態ではボタン上にマウスがオーバーしたら、半押し制御を行うことで、マニュアル操作時でも一度のボタン操作でレリーズを行うことができるようにした例を示している。
【００２４】
次に、第２の実施形態の動作手順を図３のフローチャートを用いて説明する。なお、その他の構成については、第１の実施例と同様であるので説明を省略する。
ステップＳ３０１において、レリーズボタン上にマウスがオーバーされているかを判定する。この判定の結果、マウスオーバーされている場合にはステップＳ３０２に進み、押されていない場合にはステップＳ３０１に戻る。すなわち、マウスオーバーされるまで待機する。
【００２５】
ステップＳ３０２においては、半押し制御を行う。ここで半押し制御とは、接続された撮像装置で測距及び測光を行い、ＡＦ制御、ＡＥ制御を行うことである。
【００２６】
次に、ステップＳ３０３において、ボタンが押されたかどうか判定する。この判定の結果、押されていない場合にはステップＳ３０１に戻り、レリーズボタン上にマウスがオーバーされているかを判定し、マウスオーバーされている場合にはステップＳ３０２にて半押し制御を行い続ける。
【００２７】
また、ステップＳ３０３の判定の結果、ボタンが押された場合にはステップＳ３０４に進む。
ステップＳ３０４においては、レリーズを行い、撮影を完了する。
【００２８】
以上のように、マウスオーバーで半押し制御を行い、マウスクリックでレリーズを行うことで、マニュアルで露出やシャッタースピードを決定した場合でも、１クリックでレリーズを行うことができ、連写を行うことも可能になる。
【００２９】
（他の実施形態）
また、各実施形態の目的は、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行することによっても、達成されることは言うまでもない。
【００３０】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行う。そして、その処理によって前述した実施形態の機能が実現される場合も含まれることは言うまでもない。
【００３１】
さらに、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００３２】
本発明を前記記憶媒体に適用する場合、その記憶媒体には、先に説明した図２及び図３のフローチャートに対応するプログラムコードが格納されることになる。ラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行することによっても、達成されることは言うまでもない。
【符号の説明】
【００３３】
１００  読込部
１０１  入力部
１０２  蓄積部
１０３  表示部
１０４  ＣＰＵ
１０５  ＲＯＭ
１０６  ＲＡＭ
１０７  画像入力部
【図１】
0005318244.tif 000002
【図２】
0005318244.tif 000003
【図３】
0005318244.tif 000004
【図４】
0005318244.tif 000005